(57)【特許請求の範囲】
【請求項１】
軸方向に延びる線に沿って複数に分割された筒状の本体と、該本体の複数の分割部同士を開閉可能に連結するとともに、前記複数の分割部を閉じる方向に付勢する開閉手段と、前記複数の分割部を閉じた状態に連結する連結手段とを備えたプロテクターを、柱状又は管状の保護対象部材の外面に取り付けるプロテクターの取付工具であって、
遠隔から操作して、前記本体の複数の分割部を開いた状態で前記保護対象部材の取付位置に位置決めし、該位置決めした状態の前記複数の分割部を閉じた状態として、取付位置にその外面を囲むように取り付ける第１取付工具と、
遠隔から前記連結手段を操作して、前記本体の複数の分割部を閉じた状態に連結する第２取付工具とを備えていることを特徴とするプロテクターの取付工具。
【請求項２】
前記プロテクターは、前記本体を前記保護対象部材の外面に固定する固定手段を備え、該固定手段を遠隔から操作して、前記本体を前記保護対象部材の外面に固定する第３取付工具を備えていることを特徴とする請求項１に記載のプロテクターの取付工具。
【請求項３】
前記第１取付工具は、前記本体の何れか一の分割部に着脱可能に取り付けられる支持部材と、前記本体の他の何れか一の分割部に掛着されるとともに、引っ張ることによって前記本体の複数の分割部を開いた状態とし、離すことによって前記本体の複数の分割部を閉じた状態とする紐状部材とからなることを特徴とする請求項１又は２に記載のプロテクターの取付工具。
【請求項４】
前記連結手段は、前記本体の各分割部に設けられた雌ねじ部と、前記雌ねじ部間を締結する雄ねじ部とからなり、
前記第２取付工具は、把手部と、該把手部の先端に設けられるとともに、前記雄ねじ部に着脱可能に装着される締結具とからなることを特徴とする請求項１〜３の何れか１項に記載のプロテクターの取付工具。
【請求項５】
前記固定手段は、前記本体の何れか一の分割部に設けられた雌ねじ部と、該雌ねじ部に螺合される雄ねじ部とからなり、
前記第３取付工具は、把手部と、該把手部の先端に設けられるとともに、前記雄ねじ部に着脱可能に装着される締結具とからなることを特徴とする請求項２に記載のプロテクターの取付工具。
【請求項６】
軸方向に延びる線に沿って複数に分割された筒状の本体と、該本体の複数の分割部同士を開閉可能に連結するとともに、前記複数の分割部を閉じる方向に付勢する開閉手段と、前記複数の分割部を閉じた状態に連結する連結手段とを備えたプロテクターを柱状又は管状の保護対象部材の外面に取り付けるプロテクターの取付方法であって、
前記本体の複数の分割部を開いた状態で前記保護対象部材の取付位置に位置決めする工程と、
前記本体の複数の分割部を閉じた状態として、前記保護対象部材の取付位置にその外面の周囲を囲むように取り付ける工程と、
遠隔から前記連結手段を操作して、前記本体の複数の分割部を閉じた状態に連結する工程とを備えていることを特徴とするプロテクターの取付方法。
【請求項７】
前記プロテクターは、前記本体を前記保護対象部材の外面に固定する固定手段を備え、該固定手段を遠隔から操作して、前記本体を前記保護対象部材の外面に固定する工程を備えていることを特徴とする請求項６に記載のプロテクターの取付方法。
【請求項８】
撮像手段により前記保護対象部材の画像を取得して表示し、該表示された画像を目視しながら、前記各工程を行うことを特徴とする請求項６又は７に記載のプロテクターの取付方法。
【発明の詳細な説明】
【技術分野】
【０００１】
本発明は、プロテクターの取付工具及びプロテクターの取付方法に関し、特に、火力発電設備の加圧流動床ボイラの内部に設けられた過熱器及び再熱器の管等を保護するプロテクターの取り付けに有効なプロテクターの取付工具及びプロテクターの取付方法に関する。
【背景技術】
【０００２】
加圧流動床ボイラを用いた火力発電設備の一例が非特許文献１に記載されている。この加圧流動床ボイラは、石炭と石灰石と水とを混合させたペースト状の燃料を用い、この燃料を火炉の内部に投入して燃焼させることにより蒸気を発生させ、この蒸気で蒸気タービン（高圧タービン、中圧タービン、及び低圧タービン）を駆動させるとともに、火炉からの排ガスでガスタービンを駆動させるように構成したものである。
【０００３】
上記のような構成の加圧流動床ボイラにあっては、火炉の内部に過熱器及び再熱器が設けられ、過熱器で生成された過熱蒸気は、蒸気タービンの高圧タービンに送られて高圧タービンを駆動させ、この過熱蒸気は、高圧タービンで仕事をした後に再熱器に戻され、再熱器で再度加熱されて過熱蒸気とされた後に中圧タービン及び低圧タービンに送られ、中圧タービン及び低圧タービンを駆動させている。
【０００４】
ところで、上記のような構成の加圧流動床ボイラにあっては、火炉の内部において流動媒体（燃料、燃料を燃焼させることによって生じた灰等）が流動し、この流動媒体が過熱器及び再熱器の管に衝突することにより、管の外面が磨耗し、減肉する問題が生じる。
【０００５】
このため、過熱器及び再熱器の磨耗し、減肉した管の部分に、例えば、特許文献１に記載のような構成のプロテクターを取り付け、磨耗し、減肉した部分を補修する作業が必要になる。しかし、このようなプロテクターの取付作業は、一般には、加圧流動床ボイラの運転を停止させて、過熱器及び再熱器の管の一部を切断し、対象の管パネルを吊り上げた状態で、磨耗し、減肉した管の部分にプロテクターを取り付け、溶接によって管側に固定しているため、その作業に多大な労力、時間、及び費用がかかる。
【先行技術文献】
【特許文献】
【０００６】
【特許文献１】特開平８−１８９６０２号公報
【非特許文献】
【０００７】
【非特許文献１】中国電力ホームページ、加圧流動床複合発電方式（ＰＦＢＣ）、[ｏｎｌｉｎｅ]、[平成２３年５月１７日検索]、インターネット＜ＵＲＬ：ｈｔｔｐ：／／ｗｗｗ．ｅｎｅｒｇｉａ．ｃｏ．ｊｐ／ｅｎｅｒｇｙ／ｇｅｎｅｒａｌ／ｔｈｅｒｍａｌ／ｔｈｅｒｍａｌ７．ｈｔｍｌ＞
【発明の概要】
【発明が解決しようとする課題】
【０００８】
本発明は、上記のような従来の問題に鑑みなされたものであって、加圧流動床ボイラの過熱器及び再熱器の磨耗、減肉した管等の保護に適用した場合に、容易に、短時間で、かつ安い費用でプロテクターを取り付けることができるプロテクターの取付工具及びプロテクターの取付方法を提供することを目的とする。
【課題を解決するための手段】
【００１７】
上記のような課題を解決するために、本発明は、以下のような手段を採用している。
すなわち、本発明は、軸方向に延びる線に沿って複数に分割された筒状の本体と、該本体の複数の分割部同士を開閉可能に連結するとともに、前記複数の分割部を閉じる方向に付勢する開閉手段と、前記複数の分割部を閉じた状態に連結する連結手段とを備えたプロテクターを、柱状又は管状の保護対象部材の外面に取り付けるプロテクターの取付工具であって、  遠隔から操作して、前記本体の複数の分割部を開いた状態で前記保護対象部材の取付位置に位置決めし、該位置決めした状態の前記複数の分割部を閉じた状態として、取付位置にその外面を囲むように取り付ける第１取付工具と、遠隔から前記連結手段を操作して、前記本体の複数の分割部を閉じた状態に連結する第２取付工具とを備えていることを特徴とする。
【００１８】
本発明のプロテクターの取付工具によれば、遠隔から操作して、第１取付工具により、本体の複数の分割部を開いた状態で保護対象部材の取付位置に位置決めし、位置決め後に複数の分割部を閉じた状態として、取付位置にその外面を囲むように取り付ける。そして、遠隔から第２取付工具で連結手段を操作することにより、本体の複数の分割部を閉じた状態に連結することができ、本体の複数の分割部を保護対象部材の外面に固定することができる。
【００１９】
さらに、本発明において、前記プロテクターは、前記本体を前記保護対象部材の外面に固定する固定手段を備え、該固定手段を遠隔から操作して、前記本体を前記保護対象部材の外面に固定する第３取付工具を備えていることとしてもよい。
【００２０】
本発明のプロテクターの取付工具によれば、遠隔から第３取付工具で固定手段を操作することにより、本体を保護対象部材の外面に固定することができる。
【００２１】
さらに、本発明において、前記第１取付工具は、前記本体の何れか一の分割部に着脱可能に取り付けられる支持部材と、前記本体の他の何れか一の分割部に掛着されるとともに、引っ張ることによって前記本体の複数の分割部を開いた状態とし、離すことによって前記本体の複数の分割部を閉じた状態とする紐状部材とからなることとしてもよい。
【００２２】
本発明のプロテクターの取付工具によれば、支持部材を本体の何れか一の分割部に取り付け、紐状部材を本体の他の何れか一の分割部に掛着させ、紐状部材を引っ張ることにより本体の複数の分割部を開いた状態とすることができる。また、紐状部材を離すことにより、本体の複数の分割部を閉じた状態とすることができる。
【００２３】
さらに、本発明において、前記連結手段は、前記本体の各分割部に設けられた雌ねじ部と、前記雌ねじ部間を締結する雄ねじ部とからなり、前記第２取付工具は、把手部と、該把手部の先端に設けられるとともに、前記雄ねじ部に着脱可能に装着される締結具とからなることとしてもよい。
【００２４】
本発明のプロテクターの取付工具によれば、本体の各分割部の雌ねじ部間に雄ねじ部を螺合させ、第２取付け工具の締結具を雄ねじ部に装着して、把手部を介して締結具を操作することにより、雄ねじ部を雌ねじ部間に締結することができる。
【００２５】
さらに、本発明において、前記固定手段は、前記本体の何れか一の分割部に設けられた雌ねじ部と、該雌ねじ部に螺合される雄ねじ部とからなり、前記第３取付工具は、把手部と、該把手部の先端に設けられるとともに、前記雄ねじ部に着脱可能に装着される締結具とからなることとしてもよい。
【００２６】
本発明のプロテクターの取付工具によれば、本体の何れか一の分割部の雌ねじ部に雄ねじ部を螺合させ、第３取付工具の締結具を雄ねじ部に装着して、把手部を介して締結具を操作することにより、雄ねじ部を雌ねじ部に螺合させることができる。
【００２７】
さらに、本発明は、軸方向に延びる線に沿って複数に分割された筒状の本体と、該本体の複数の分割部同士を開閉可能に連結するとともに、前記複数の分割部を閉じる方向に付勢する開閉手段と、前記複数の分割部を閉じた状態に連結する連結手段とを備えたプロテクターを柱状又は管状の保護対象部材の外面に取り付けるプロテクターの取付方法であって、前記本体の複数の分割部を開いた状態で前記保護対象部材の取付位置に位置決めする工程と、前記本体の複数の分割部を閉じた状態として、前記保護対象部材の取付位置にその外面の周囲を囲むように取り付ける工程と、遠隔から前記連結手段を操作して、前記本体の複数の分割部を閉じた状態に連結する工程とを備えていることを特徴とする。
【００２８】
本発明のプロテクターの取付方法によれば、まず、本体の複数の分割部を開いた状態で保護対象部材の取付位置に位置決めする。次に、本体の複数の分割部を閉じた状態として、保護対象部材の取付位置にその外面の周囲を囲むように取り付ける。次に、遠隔から連結手段を操作して、本体の複数の分割部を閉じた状態に連結する。これにより、本体の複数の分割部を保護対象部材の外面に取り付けることができ、保護対象部材の外面を保護することができる。
【００２９】
さらに、本発明において、前記プロテクターは、前記本体を前記保護対象部材の外面に固定する固定手段を備え、該固定手段を遠隔から操作して、前記本体を前記保護対象部材の外面に固定する工程を備えていることとしてもよい。
【００３０】
本発明のプロテクターの取付方法によれば、プロテクターの本体の固定手段を、遠隔から操作することにより、本体を保護対象部材の外面に固定することができる。
【００３１】
さらに、本発明において、撮像手段により前記保護対象部材の画像を取得して表示し、該表示された画像を目視しながら、前記各工程を行うこととしてもよい。
【００３２】
本発明のプロテクターの取付方法によれば、保護対象部材の取付位置が直接に目視できない場合に、撮像手段により保護対象部材の画像を取得して表示し、この表示された画像を目視しながら、各工程を行うことができる。
【発明の効果】
【００３３】
以上、説明したように、本発明のプロテクターの取付工具及びプロテクターの取付方法によれば、加圧流動床ボイラの過熱器及び再熱器の外面が磨耗し、減肉した管等の管状の部材、外面が磨耗し、減肉した棒状の部材、外面が磨耗し、減肉した柱状の部材等の保護対象部材の外面に、その部分を保護するプロテクターを容易に、短時間で、安い費用で取り付けることが可能となる。
【図面の簡単な説明】
【００３４】
【図１】本発明５によるプロテクターの取付工具及びプロテクターの取付方法が適用される加圧流動床ボイラを示した概略図である。
【図２】図１の加圧流動床ボイラの過熱器及び再熱器の断面図である。
【図３】図２の側面図である。
【図４】プロテクターを過熱器及び再熱器の管の外面に取り付けた状態を示した説明図である。
【図５】プロテクターの本体を閉じた状態を示した平面図である。
【図６】図５の右側面図である。
【図７】図５のＡ矢視図である。
【図８】図５の本体を開いた状態を示した平面図である。
【図９】図８の右側面図である。
【図１０】本発明によるプロテクターの取付工具の一実施の形態を示した平面図であって、第１取付具の平面図である。
【図１１】第２取付工具の平面図である。
【図１２】図１１の部分拡大図である。
【図１３】第３取付工具の平面図である。
【図１４】図１３のＢ矢視図である。
【図１５】第１取付工具及び第２取付工具の使用状態を示した説明図である。
【図１６】第３取付工具の使用状態を示した説明図である。
【図１７】第１取付工具の使用状態を示した説明図である。
【図１８】図１７のＣ矢視図である。
【図１９】本発明によるプロテクターの取付方法の一実施の形態を示した概略図であって、過熱器及び再熱器の内部に本体を挿入している状態を示した説明図である。
【図２０】本体を取付位置に位置決めした状態を示した説明図である。
【図２１】本体の分割部を閉じる途中の段階を示した説明図である。
【図２２】本体の分割部を閉じ、第２取付工具により分割部の雌ねじ部間に雄ねじ部を締結している状態を示した説明図である。
【図２３】本体の分割部の雌ねじ部に雄ねじ部を第３取付工具により締め付けている状態を示した説明図である。
【図２４】落下防止工具を示した平面図である。
【発明を実施するための形態】
【００３５】
以下、図面を参照しながら本発明の実施の形態について説明する。
図１〜図３には、本発明によるプロテクターの取付工具及びプロテクターの取付方法が適用される火力発電設備の加圧流動床ボイラ５０が示されている。
【００３６】
火力発電設備の加圧流動床ボイラ５０は、図１に示すように、圧力容器５１の内部に火炉５２が設けられ、火炉５２の内部に過熱器５３及び再熱器５６が設けられ、火炉５２の内部に石炭と石灰石と水とを混合させたペースト状の燃料を投入し、この燃料を火炉５２の底部から上方に向けて噴出させた空気によって流動状態にして燃焼させることにより蒸気を生成するものである。
【００３７】
加圧流動床ボイラ５０の過熱器５３で生成された主蒸気（過熱蒸気）は、蒸気タービンの高圧タービン６０に送られ、高圧タービン６０を駆動させた後に再熱器５６に戻され、再熱器５６で再度加熱されて再熱蒸気（過熱蒸気）とされた後に、蒸気タービンの中圧タービン６１及び低圧タービン６２に送られ、中圧タービン６１及び低圧タービン６２を駆動させる。また、火炉５２の内部で燃料を燃焼させることによって発生した高温、高圧の排ガスは、ガスタービンに送られてガスタービンを駆動させる。
【００３８】
過熱器５３及び再熱器５６は、例えば、図２及び図３に示すように、管５５、５８が縦方向に複数段（本実施の形態では３２段）に配置されるように、１本の管５５、５８をジグザグに折り曲げてパネル状に形成した管パネル５４、５７を、過熱器５３の管パネル５４と再熱器５６の管パネル５７とが火炉５２の内部に交互に配置されるように、横並びに複数枚（本実施の形態では４８枚）配置したものであって、各管パネル５４、５７は、火炉５２の内部に支持管５９によって吊り下げられた状態に支持されている。
【００３９】
上記のような構成の加圧流動床ボイラ５０は、火炉５２の内部において流動媒体（燃料、燃料を燃焼させることによって生じた灰等）が流動し、この流動媒体が過熱器５３及び再熱器５６の管５５、５８に衝突することにより、管５５、５８の外面が磨耗し、減肉する問題が生じる。このため、磨耗し、減肉した管５５、５８を保護するために、磨耗し、減肉した管５５、５８にプロテクター１が取り付けられる。
【００４０】
プロテクターの一例が図４〜図９に示されている。このプロテクター１は、軸方向に延びる線に沿って複数に分割された筒状の本体２と、本体２の分割部３、４を開閉自在に連結するとともに、分割部３、４を閉じる方向に付勢する開閉手段５と、分割部３、４を閉じた状態に連結する連結手段１１と、一の分割部３、４を過熱器５３及び再熱器５６の管５５、５８に固定する固定手段１７とを備えている。
【００４１】
なお、この例では、本体２を軸線に平行な線で半筒状の２つの分割部３、４に分割し、両分割部３、４の周方向の一端間を開閉手段５で連結し、他端間を連結手段１１で連結し、一方の分割部３を固定手段１７で管５５、５８に連結している。なお、本体２は、３つ以上に分割してもよいし、軸線に対して所定の角度で傾斜する線に沿って２つ又は３つ以上に分割してもよい。
【００４２】
本体２の両分割部３、４は、過熱器５３及び再熱器５６の管５５、５８よりも硬度が高く、かつ、耐熱、耐食性に優れた材料（ステンレス鋼、インコネル（商品名）等）から形成されている。本体２を対象の管５５、５８の外面に取り付けることにより、対象の管５５、５８の外面を保護することができる。
【００４３】
開閉手段５は、軸７を中心として回動自在な一対の羽根部８、９と、両羽根部８、９を回動方向の一方向に付勢するばね１０とを備えたばね付蝶番６であって、本体２の両分割部３、４の周方向の一端部間に、両分割部３、４の長手方向に間隔をおいて一対設けられている。
【００４４】
各ばね付蝶番６は、一方の羽根部８が一方の分割部３の周方向の一端部の外面側に溶接等によって一体に連結され、他方の羽根部９が他方の分割部４の周方向の一端部の外面側に溶接等によって一体に連結されている。
【００４５】
これにより、図５〜図９に示すように、両分割部３、４は、開口部が互いに対向する閉じた位置と、開口部が同一方向を向く開いた位置との間を開閉自在となり、両分割部３、４を開いた状態とすることにより、両分割部３、４を過熱器５３及びは再熱器５６の内部に挿入することができ、両分割部３、４を閉じた状態とすることにより、両分割部３、４で過熱器５３及び再熱器５６の管５５、５８の周囲を囲むことができる。
【００４６】
連結手段１１は、各分割部３、４の周方向の他端部の外面側にそれぞれ一体に設けられる雌ねじ部１２、１３と、両分割部３、４の両雌ねじ部１２、１３間を締結する雄ねじ部１４とから構成され、両分割部３、４の長手方向に間隔をおいて一対設けられている。
【００４７】
各連結手段１１の雌ねじ部１２、１３は、例えば、ナット１２、１３であって、各分割部３、４の周方向の他端部の外面側に溶接によって一体に連結されている。両ナット１２、１３は、両分割部３、４を閉じたときに、互いに平行となるように（軸線が一致するように）、各分割部３、４に一体に連結されている。
【００４８】
雄ねじ部１４は、例えば、六角穴付ボルト１４であって、両分割部３、４を閉じた状態で、両分割部３、４の両ナット１２、１３間を締結することにより、両分割部３、４を閉じた状態に連結することができる。
【００４９】
なお、連結手段１１の雌ねじ部１２、１３は、ナット１２、１３に限らず、両分割部３、４にそれぞれねじ孔を設けるように構成してもよい。又、雄ねじ部１４は、六角穴付ボルト１４に限らず、六角ボルトであってもよい。
【００５０】
固定手段１７は、一方の分割部３又は他方の分割部４（本実施の形態では一方の半割部３）に貫通した状態に設けられる雌ねじ部１８と、雌ねじ部１８に螺合される雄ねじ部１９とから構成されている。雄ねじ部１９を雌ねじ部１８に螺合させて締め付け、雄ねじ部１９の先端を過熱器５３及び再熱器５６の管５５、５８の外面に押し付けることにより、両分割部３、４を管５５、５８の外面に固定することができる。
【００５１】
雌ねじ部１８は、例えば、一方の分割部３に設けられるねじ孔１８であって、雄ねじ部１９は、例えば、ねじ孔１８に螺合される六角ボルト１９であって、六角ボルト１９をねじ孔１８に螺合させて締め付け、六角ボルト１９の先端を管５５、５８の外面に押し付けることにより、両分割部３、４を管５５、５８に固定することができる。
【００５２】
なお、固定手段１７の雌ねじ部１８は、ねじ孔１８に限らず、ナットを溶接して構成してもよい。また、雄ねじ部１９は、六角ボルト１９に限らず、六角穴付ボルトであってもよい。
【００５３】
一方の分割部３の周方向の他端部の外面側には、後述する第１取付工具２５の支持部材２９を取り付けるためのナット２１が溶接によって一体に連結され、他方の分割部４の周方向の他端部の外面側には、後述する第１取付工具２５の紐状部材２８を掛けるためのリング２２が溶接等によって一体に連結されている。
【００５４】
上記のように構成したプロテクター１は、図１０〜図１８に示すように、第１取付工具２５、第２取付工具３０、及び第３取付工具３５からなる本発明のプロテクター１の取付工具を用いることにより、過熱器５３及び再熱器５６の内部に挿入され、過熱器５３及び再熱器５６の保護対象の管５５、５８の外面に取り付けられる。
【００５５】
第１取付工具２５は、図１０、図１７、及び図１８に示すように、丸棒状の把手部２６と、把手部２６の先端に溶接等によって一体に連結されるねじ軸２７とからなる支持部材２９と、紐状部材２８とから構成されている。
【００５６】
第１取付工具２５の支持部材２９のねじ軸２７の先端を一方の分割部３の外面側のナット２１に螺合させて締め付けることにより、支持部材２９の先端に両分割部３、４を取り付けることができる。
【００５７】
支持部材２９の先端に両分割部３、４を取り付けた状態で、他方の分割部４の外面側のリング２２に紐状部材２８を通し、紐状部材２８の両端を支持部材２９の把手部２６の方向に引っ張ることにより両分割部３、４を開いた状態とすることができる。そして、この状態で、紐状部材２８の両端部を支持部材２９の把手部２６と一緒に把持することにより両分割部３、４を開いた状態に固定でき、この状態で両分割部３、４を過熱器４３及び再熱器５６の内部に挿入する。
【００５８】
第２取付工具３０は、図１１、図１２、及び図１５に示すように、丸棒状の把手部３１と、把手部３１の先端に溶接等によって一体に連結される締付具としての六角レンチ３２とから構成されている。六角レンチ３２は、図１２に示すように、先端部が２段に形成されるとともに、先端面が所定の曲面に形成されている。
【００５９】
第２取付工具３０の六角レンチ３２の先端部を２段に形成し、先端面を曲面に形成したことにより、図１５に示すように、両分割部３、４の両ナット１２、１２間を六角穴付ボルト１４で締結する場合に、六角穴付ボルト１４の軸線方向からだけでなく、六角穴付ボルト１４の軸線に対して所定の角度に傾斜した斜め方向からでも、第２取付工具３０の六角レンチ３２の先端部を六角穴付ボルト１４の頭部２０の六角穴１６内に挿入して、六角穴付ボルト１４を締め付けることができる。
【００６０】
第３取付工具３５は、図１３、図１４、及び図１６に示すように、丸棒状の把手部３６と、把手部３６の先端に溶接等によって一体に連結される支持軸３７と、支持軸３７の先端に取り付けられるＬ形板状の支持部３８と、支持部３８に取り付けられる締付具としてのメガネレンチ３９とから構成されている。
【００６１】
メガネレンチ３９は、レンチ部４０と、レンチ部４０の外面に溶接により一体に連結される板状のレバー部４１とから構成され、レバー部４１がボルト・ナット４２によって支持部４８に取り付けられている。レバー部４１の支持部４８に対する取付角度を調整することにより、把手部３６に対するレンチ部４０の角度を調整することができる。
なお、図１４は、メガネレンチ３９の角度を把手部３６の軸線に対して略直角に調整した状態を示している。
【００６２】
図１６に示すように、第３取付工具３５のメガネレンチ３９のレンチ部４０を六角ボルト１９の頭部２０に装着し、把手部３６を操作してメガネレンチ３９を時計周りに回し、一方の分割部３のねじ孔１８に六角ボルト１９を螺合させて締め付け、六角ボルト１９の先端を過熱器５３及び再熱器５６の管５５、５８の外面に押し付けることにより、両分割部３、４を過熱器５３及び再熱器５６の管５５、５８の外面に固定することができる。
【００６３】
次に、本実施の形態のプロテクターの取付方法について説明する。
まず、図１７及び図１８に示すように、第１取付工具２５の支持部材２９ねじ軸２７の先端を一方の分割部３の外面側のナット２１に螺合させて締め付けることにより、支持部材２９の先端に本体２の両分割部３、４を取り付ける。そして、他方の分割部４の外面側のリング２２に紐状部材２８を通し、紐状部材２８の両端を支持部材２９の把手部２６の方向に引っ張ることにより両分割部３、４を開いた状態とする。そして、紐状部材２８の両端を支持部材２９の把手部２６と一緒に把持することにより、両分割部３、４を開いた状態に固定する。
【００６４】
この場合、予め、一方の分割部３のねじ孔１８に六角ボルト１９を取り付け、他方の分割部４の各連結手段１１の各ナット１３にそれぞれ六角穴付ボルト１４を取り付けておく。また、過熱器５３及び再熱器５６の内部の状態を把握するために撮像手段４６を用意しておく。
【００６５】
撮像手段４６は、例えば、丸棒状の支持部４７と、支持部４７の先端に取り付けられたＣＣＤカメラ等のカメラ４８と、カメラ４８によって取得した画像を表示するモニター４９とから構成される。撮像手段４６により、過熱器５３及び再熱器５６の対象の管５５、５８の画像を取得して表示するには、過熱器５３及び再熱器５６の上部にモニター４９を配置し、支持部４７を操作して、先端のカメラ４８を、過熱器５３及び再熱器５６の上方から、過熱器５３及び再熱器５６の管５５、５８間の隙間を利用して、過熱器５３及び再熱器５６の内部に挿入する。そして、支持部４７を操作して、カメラ４８の位置、向き等を調整することにより、カメラ４８を対象の管５５、５８を撮影することが可能な位置に位置決めし、カメラ４８を介して対象の管５５、５８の画像を取得する。カメラ４８で取得した対象の管５５、５８の画像は、過熱器５３及び再熱器５６の上部に配置したモニター４９に表示され、このモニター４９に表示を目視しながら、プロテクター１を過熱器５３及び再熱器５６の内部に挿入し、このプロテクター１を対象の管５５、５８の外面に取り付ける作業を行う。
【００６６】
次に、図１９に示すように、撮像手段４６のモニター４９に表示された画像を目視しながら、第１取付工具２５の支持部材２９の把手部２６を操作することにより、プロテクター１の本体２の両分割部３、４を、過熱器５３及び再熱器５６の上方から、過熱器５３及び再熱器５６の隣接する管５５、５８間の隙間を利用して、過熱器５３及び再熱器５６の内部に挿入する。
【００６７】
そして、図２０に示すように、本体２の両分割部３、４の位置を調整することにより、一方の分割部３の内面を対象の管５５、５８の外面に被せる。そして、この状態で、図２１及び図２２に示すように、紐状部材２８の一端を離し、紐状部材２８による両分割部３、４の固定状態を解除し、両分割部３、４をばね付蝶番６のばね１０の付勢力によって閉じる方向に回動させ、他方の分割部４を対象の管５５、５８の外面に被せる。これにより、両分割部３、４で対象の管５５、５８の周囲を囲むことができる。
【００６８】
次に、図２４に示すように、必要に応じて、丸棒状の把手部４４の先端にフック４５を一体に連結した落下防止工具４３を用い、撮像手段４６のモニター４９に表示された画像を目視しながら、この落下防止工具４３のフック４５を過熱器５３及び再熱器５６の内部に挿入し、プロテクター１の本体にフック４５を下方から引掛けることにより、本体２が落下するのを防止するとともに、本体２の取付位置の調整を行う。
【００６９】
次に、図２２に示すように、撮像手段４６のモニター４９に表示された画像を目視しながら、第２取付工具３０の把手部３１を操作して、第２取付工具３０の六角レンチ３２を、過熱器５３及び再熱器５６の上方から、過熱器５３及び再熱器５６の隣接する管５５、５８間の隙間を利用して、過熱器５５及び再熱器５８の内部に挿入し、六角レンチ３２の先端を各六角穴付ボルト１４の頭部１５の六角穴１６内に挿入する。そして、把手部３１を介して六角レンチ３２を時計回りに回すことにより、各六角穴付ボルト１４を各両ナット１２、１３間に螺合させ、各六角穴付ボルト１４を締め付けることにより各両ナット１２，１３間を六角穴付ボルト１４で締結する。この場合、六角レンチ３２の先端部は２段に形成され、先端面が曲面に形成されているので、各六角穴付ボルト１４の軸線に対して斜め方向からでも、六角レンチ３２の先端を各六角穴付ボルト１４の六角穴に挿入して、各六角穴付ボルト１４を締め付けることができる。
【００７０】
次に、図２３に示すように、撮像手段４６のモニター４９に表示された画像を目視しながら、第３取付工具３５の把手部３６を操作して、第３取付工具３５のメガネレンチ３９のレンチ部４０を六角ボルト１９の頭部に装着し、把手部３６を介してメガネレンチ３９を時計回りに回すことにより、六角ボルト１９を一方の分割部３のねじ孔２０に螺合させ、六角ボルト１９を締め付けることにより、六角ボルト１９の先端を過熱器５３及び再熱器５６の管５５、５８の外面に押し付け、両分割部３、４を管５５、８の外面に固定する。
【００７１】
そして、第１取付工具２５の支持部材２９の把手部２６を半時計周りに回すことにより、支持部材２９のねじ軸２７を一方の分割部３のナット２１から取り外し、第４取付工具４３のフック４５を本体２から外すことにより、保護対象の管５５、５８の外面にプロテクター１を取り付けることができ、外面に磨耗、減肉が生じた管５５、５８の部分をプロテクター１の本体２で囲んで保護することができる。
【００７２】
上記のように構成した本実施の形態のプロテクター１の取付工具及びプロテクター１の取付方法にあっては、過熱器５３及び再熱器５６の管５５、５８の外面に磨耗、減肉が生じた場合に、遠隔から（過熱器５３及び再熱器５６の上方から）第１取付工具２５、第２取付工具３０、第３取付工具３５、落下防止工具４３、及び撮像手段４６を操作して、過熱器５３及び再熱器５６の隣接する管５５、５８間の隙間を利用して、保護対象の管５５、５８の外面にプロテクター１を取り付けることができる。
【００７３】
従って、過熱器５３及び再熱器５６の管５５、５８の複数箇所を切断して、過熱器５３及び再熱器５６の管パネルを吊り上げる必要はなく、過熱器５３及び再熱器５６をそのままの状態にして各作業を行うことができるので、保護対象の管５５、５８へのプロテクター１の取り付けを、容易に、短時間で、かつ安い費用で行うことができる。
【００７４】
なお、上記の説明においては、本発明のプロテクター１の取付工具及びプロテクター１の取付方法を、加圧流動床ボイラ５０の火炉５２の内部に設けられた過熱器５３及び再熱器５６の管５５、５８の摩耗、減肉した部分にプロテクター１を取り付けて保護するのに適用したが、各種の管にプロテクターを取り付けて保護するのに本発明のプロテクターの取付工具及びプロテクターの取付方法を適用してもよいし、管に限らず、各種の柱状の部材の摩耗、減肉した部分に本発明を適用してもよい。
【符号の説明】
【００７５】
１  プロテクター
２  本体
３  一方の分割部
４  他方の分割部
５  開閉手段
６  ばね付蝶番
７  軸
８  一方の羽根部
９  他方の羽根部
１０  ばね
１１  連結手段
１２  雌ねじ部（ナット）
１３  雌ねじ部（ナット）
１４  雄ねじ部（六角穴付ボルト）
１５  頭部
１６  六角穴
１７  固定手段
１８  雌ねじ部（ねじ孔）
１９  雄ねじ部（六角ボルト）
２０  頭部
２１  ナット
２２  リング
２５  第１取付工具
２６  把手部
２７  ねじ軸
２８  紐状部材
２９  支持部材
３０  第２取付工具
３１  把手部
３２  六角レンチ
３５  第３取付工具
３６  把手部
３７  支持軸
３８  支持部
３９  メガネレンチ
４０  レンチ部
４１  レバー部
４２  ボルト・ナット
４３  落下防止治具
４４  把手部
４５  フック
４６  撮像手段
４７  支持部
４８  カメラ
４９  モニター
５０  加圧流動床ボイラ
５１  圧力容器
５２  火炉
５３  過熱器
５４  管パネル
５５  管
５６  再熱器
５７  管パネル
５８  管
５９  支持管
６０  高圧タービン
６１  中圧タービン
６２  低圧タービン
【図１】
0005844078.tif 000002
【図３】
0005844078.tif 000003
【図４】
0005844078.tif 000004
【図５】
0005844078.tif 000005
【図６】
0005844078.tif 000006
【図７】
0005844078.tif 000007
【図８】
0005844078.tif 000008
【図９】
0005844078.tif 000009
【図１０】
0005844078.tif 000010
【図１１】
0005844078.tif 000011
【図１２】
0005844078.tif 000012
【図１３】
0005844078.tif 000013
【図１４】
0005844078.tif 000014
【図１５】
0005844078.tif 000015
【図１６】
0005844078.tif 000016
【図１７】
0005844078.tif 000017
【図１８】
0005844078.tif 000018
【図１９】
0005844078.tif 000019
【図２０】
0005844078.tif 000020
【図２１】
0005844078.tif 000021
【図２２】
0005844078.tif 000022
【図２３】
0005844078.tif 000023
【図２４】
0005844078.tif 000024
【図２】
0005844078.tif 000025